(57)【要約】      （修正有）【課題】陰茎・陰嚢とパンツとの接触が弱まり擦れにくい、陰茎・陰嚢周辺の汗や湿気を吸い速やかに発散する。大腿と陰嚢との接触が弱まり擦れにくく、はき心地良い。陰茎の勃起がスムーズにできる。陰嚢が自然の状態で垂れているので伸縮して温度調節できるパンツの提供。  【解決手段】陰茎・陰嚢を筒形状におおう陰茎・陰嚢収容部４が、パンツ本体１と編み上げ製作して接続している。陰茎・陰嚢をおおっている陰茎・陰嚢収容部４がパンツ本体１から男性の体形に自然な状態で筒形状に突き出て、収容部開口５に至る。筒形状に編み上げ製作した陰茎・陰嚢収容部４が、陰茎・陰嚢をおおっている。筒形状に編み上げ製作した陰茎・陰嚢収容部４が大腿部と陰茎・陰嚢の間を仕切っている。陰茎・陰嚢収容部４を備えた三股構造を特徴とするパンツ。【選択図】図１
0003133111.tif 000002
【実用新案登録請求の範囲】
【請求項１】
左右大腿開口の中央に陰茎・陰嚢収容部を備えた三股構造にしたことを特徴とするパンツ。
【請求項２】
無縫製に機械で編み上げ製作できる三股構造のパンツ。
【考案の詳細な説明】
【技術分野】
【０００１】  本発明は左右大腿開口の中央に陰茎・陰嚢収容部を備えた三股構造を特徴とするパンツに関する。
【背景技術】
【０００２】  従来のパンツは外観形状から「ブリーフ型」と「トランクス型」に大別される。「ブリーフ型」パンツは恋人を意識した時、睡眠中等に陰茎が勃起した時、パンツの中に陰茎が窮屈にとじこめられていた。「トランクス型」パンツは二股分かれになっていて、二本足の狭いところに、睾丸を内蔵した陰嚢があって足の運動で大腿と陰嚢が接触して擦れた。【０００３】
【非特許文献１】  鈴木弘文  北里大学教授監修  医学なるほど辞典  緒方出版  １９８３年３月１０日  Ｐ２９４，２９５，２９６  健康な男性のペニスは年齢に関わりなく、睡眠中ある周期のもとに大きくなったり小さくなったりを繰り返しているわけだ、“朝立ち”という現象はたまたまペニスが大きくなっているときに起床したということである。９５才９６才のお年寄りの睡眠中のペニスはある周期のもとに確実に勃起した。勃起を詳しく調べるとペニスが大きくなり始めるのは、レム睡眠に入る２．５分前、その後レム睡眠に入って５．４分経過すると、ペニスは最も大きく、はち切れんばかりになった。やがて再びペニスは萎れ始め、その４０秒後にレム睡眠は終了した。ペニスが完全に小さくなるのはレム睡眠の終了後１２．４分。陰嚢が寒いとシワシワになって熱いと伸び切ってしまうのも温度調節のため、冷えすぎのときは表面が縮まって小さくなってしまう、だからボールの位置も上がり気味、熱いときはその逆。いま若い人の間にはブリーフ派とトランクス派がいるようだが、暑がり屋のボールの身になって考えるとブリーフはよくない。
【考案の開示】
【考案が解決しようとする課題】
【０００４】  従来の「ブリーフ型」パンツは陰茎が勃起する時パンツの中に窮屈にとじこめられていた、陰嚢も窮屈に覆われているので、睾丸を内蔵した陰嚢が伸縮して温度調節できにくい状態であった。「トランクス型」パンツは二股分かれになっていて、二本足の間の狭いところに睾丸を内蔵した陰嚢があって、足の運動で大腿と陰嚢が接触して擦れた。これらの不都合を解決することを課題とする。
【課題を解決するための手段】
【０００５】  上記の課題を解決するための手段として、左右大腿開口の中央に陰茎・陰嚢収容部を備えた三股構造を特徴とするパンツを発明した。図面に示してあるように陰茎・陰嚢収容部が、陰茎・陰嚢を筒形状に囲んで覆っている。筒形状に覆っている陰茎・陰嚢収容部が、大腿と陰茎・陰嚢の間を仕切っている。（仕切る＝隔てとなるものを設けて境をする）。陰茎・陰嚢収容部が男性の体形（勃起も含む）に順応する。陰茎・陰嚢収容部を備えた三股構造を特徴とする機械編したパンツ。
【考案の効果】
【０００６】  発明の効果として、陰茎・陰嚢とパンツとの接触が弱まり擦れにくい、陰茎・陰嚢周辺の汗や湿気を吸い速やかに発散する。大腿と陰嚢との接触が弱まり擦れにくく、はき心地良い。陰茎の勃起がスムーズにできる。陰嚢が自然の状態で垂れているので伸縮して温度調節できる。
【考案を実施するための最良の形態】
【０００７】  素材は吸水性の良い綿、その綿より３倍の吸水性を持つレーヨン、放湿性通気性のすぐれた麻、伸縮性のあるポリウレタン等を調整して編み上げる。ウエストエリアには、上記素材に細いゴムを編み込む場合がある。汗や湿気を吸い速やかに発散するパンツができる。【０００８】  世界初のコンピューター制御による編み機を開発して、縫い目なし、糸をセットして数十分で体の線にそうような立体的表現ができ、丸ごと編み上げる機械で日本国内９０％のシェアの電子制御の編み機を製作している会社がある。この優秀な編み機で編み上げてパンツを製作する。
【実施例】
【０００９】  パンツの着用方法は、パンツ本体１のウエスト開口２に使用者の足を挿入して、大腿開口３を通る、両足を通した時点でパンツ本体１を胴体に寄せ上げると陰茎・陰嚢は陰茎・陰嚢収容部４に自然に収容される。
陰茎・陰嚢収容部４は図２の点線に示してあるように先端の収容部開口５まで伸ばして使用する場合がある。
陰茎・陰嚢収容部４は図２、の斜線に示してあるように収容部開口５周辺を折り返してピン６等で留めて使用する場合がある。
【産業上の利用可能性】
【００１０】  本願発明の三股構造を特徴とするパンツは、構造が三本指の手袋の一部を拡大した構造に似ており、現在の手袋編み技術、セーター編み技術の応用で、編み上げて無縫製に機械製作できる。機械製作できるので人件費が低く、良い製品を大量に製作でき、安い価格で提供できる。
【図面の簡単な説明】
【００１１】
【図１】三股構造を特徴とするパンツを示す斜視図。収容部開口周辺を伸ばした状能を示す。
【図２】三股構造を特徴とするパンツ縦断面図。斜線部は収容部開口周辺を折り返して使用する場合。点線部は収容部開口周辺を伸ばして使用する場合（陰茎が勃起した状態）。
【図３】三股構造を特徴とするパンツを示す図面代用写真。（股間部を広げた状態）。
【符号の説明】
【００１２】１  パンツ本体
２  ウエスト開口
３  大腿開口
４  陰茎・陰嚢収容部
５  収容部開口
６  ピン
【図１】
0003133111.tif 000003
【図２】
0003133111.tif 000004
【図３】
0003133111.tif 000005
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
左右大腿開口の中央に陰茎・陰嚢収容部を備えた三股構造にしたことを特徴とするパンツ。
【請求項２】
無縫製に機械で編み上げ製作されたことを特徴とする請求項１記載の三股構造のパンツ。
【手続補正２】
【補正対象書類名】明細書
【補正対象項目名】全文
【補正方法】変更
【補正の内容】
【考案の詳細な説明】
【技術分野】
【０００１】  本考案は左右大腿開口の中央に陰茎・陰嚢収容部を備えた三股構造を特徴とするパンツに関する。
【背景技術】
【０００２】  従来のパンツは外観形状から「ブリーフ型」と「トランクス型」に大別される。「ブリーフ型」パンツは恋人を意識した時、睡眠中等に陰茎が勃起した時、パンツの中に陰茎が窮屈にとじこめられていた。「トランクス型」パンツは二股分かれになっていて、二本足の狭いところに、睾丸を内蔵した陰嚢があって足の運動で大腿と陰嚢が接触して擦れた。【０００３】
【非特許文献１】  鈴木弘文  北里大学教授監修  医学なるほど辞典  緒方出版  １９８３年３月１０日  Ｐ２９４，２９５，２９６  健康な男性のペニスは年齢に関わりなく、睡眠中ある周期のもとに大きくなったり小さくなったりを繰り返しているわけだ、“朝立ち”という現象はたまたまペニスが大きくなっているときに起床したということである。９５才９６才のお年寄りの睡眠中のペニスはある周期のもとに確実に勃起した。勃起を詳しく調べるとペニスが大きくなり始めるのは、レム睡眠に入る２．５分前、その後レム睡眠に入って５．４分経過すると、ペニスは最も大きく、はち切れんばかりになった。やがて再びペニスは萎れ始め、その４０秒後にレム睡眠は終了した。ペニスが完全に小さくなるのはレム睡眠の終了後１２．４分。陰嚢が寒いとシワシワになって熱いと伸び切ってしまうのも温度調節のため、冷えすぎのときは表面が縮まって小さくなってしまう、だからボールの位置も上がり気味、熱いときはその逆。いま若い人の間にはブリーフ派とトランクス派がいるようだが、暑がり屋のボールの身になって考えるとブリーフはよくない。
【考案の開示】
【考案が解決しようとする課題】
【０００４】  従来の「ブリーフ型」パンツは陰茎が勃起する時パンツの中に窮屈にとじこめられていた、陰嚢も窮屈に覆われているので、睾丸を内蔵した陰嚢が伸縮して温度調節できにくい状態であった。「トランクス型」パンツは二股分かれになっていて、二本足の間の狭いところに睾丸を内蔵した陰嚢があって、足の運動で大腿と陰嚢が接触して擦れた。これらの不都合を解決することを課題とする。
【課題を解決するための手段】
【０００５】  上記の課題を解決するための手段として、左右大腿開口の中央に陰茎・陰嚢収容部を備えた三股構造を特徴とするパンツを考案した。図面に示してあるように陰茎・陰嚢収容部が、陰茎・陰嚢を筒形状に囲んで覆っている。筒形状に覆っている陰茎・陰嚢収容部が、大腿と陰茎・陰嚢の間を仕切っている。（仕切る＝隔てとなるものを設けて境をする）。陰茎・陰嚢収容部が男性の体形（勃起も含む）に順応する。陰茎・陰嚢収容部を備えた三股構造を特徴とする機械編したパンツ。
【考案の効果】
【０００６】  考案の効果として、陰茎・陰嚢とパンツとの接触が弱まり擦れにくい、陰茎・陰嚢周辺の汗や湿気を吸い速やかに発散する。大腿と陰嚢との接触が弱まり擦れにくく、はき心地良い。陰茎の勃起がスムーズにできる。陰嚢が自然の状態で垂れているので伸縮して温度調節できる。
【考案を実施するための最良の形態】
【０００７】  世界初のコンピューター制御による編み機を開発して、縫い目なし、糸をセットして数十分で体の線にそうような立体的表現ができ、丸ごと編み上げる機械で日本国内９０％のシェアの電子制御の編み機を製作している会社がある。この優秀な編み機で編み上げてパンツを製作する。
【実施例】
【０００８】  パンツの着用方法は、パンツ本体１のウエスト開口２に使用者の足を挿入して、大腿開口３を通る、両足を通した時点でパンツ本体１を胴体に寄せ上げると陰茎・陰嚢は陰茎・陰嚢収容部４に自然に収容される。
陰茎・陰嚢収容部４は収容部開口５まで伸ばして  使用する場合がある。
陰茎・陰嚢収容部４は収容部開口５周辺を折り返してピン６等で留めて使用する場合がある。
【産業上の利用可能性】
【０００９】  考案した三股構造を特徴とするパンツは、構造が三本指の手袋の一部を拡大した構造に似ており、現在の手袋編み技術、セーター編み技術の応用で、編み上げて無縫製に機械製作できる。機械製作できるので人件費が低く、良い製品を大量に製作でき、安い価格で提供できる。
【図面の簡単な説明】
【００１０】
【図１】三股構造を特徴とするパンツを示す斜視図。収容部開口まで伸ばして使用する場合。
【図２】三股構造を特徴とするパンツを示す図面代用写真。（股間部を広げた状態）
【図３】収容部開口周辺を折り返してピン  等で留めて使用する場合の斜視図。
【符号の説明】
【００１１】１  パンツ本体
２  ウエスト開口
３  大腿開口
４  陰茎・陰嚢収容部
５  収容部開口
６  ピン
【手続補正３】
【補正対象書類名】図面
【補正対象項目名】全図
【補正方法】変更
【補正の内容】
【図１】
0003133111.tif 000006
【図２】
0003133111.tif 000007
【図３】
0003133111.tif 000008